(57)【要約】【課題】シンプルな構成で、画面サイズのフレキシブルな調整が可能な水平偏向回路およびそれを備えたテレビ受像機を提供する。【解決手段】ダイオードモジュレータ型水平偏向回路３０であって、水平偏向コイル８およびＳ字補正コンデンサ１０を含む第１の共振回路と、モジュレーションコイル１１およびブリッジコンデンサ１２を含む第２の共振回路と、ＥＷ歪を補正する信号を出力するＥＷ歪補正信号出力部２６と、モジュレーションコイル１１およびブリッジコンデンサ１２の接続点２７とＥＷ歪補正信号出力部２６との間に接続された可変抵抗１４とを備え、ＥＷ歪を補正する信号は、可変抵抗１４を通過してからモジュレーションコイル１１およびブリッジコンデンサ１２の接続点２７に入力される。【選択図】  図１
2006157656.tif 000002
【特許請求の範囲】
【請求項１】
ダイオードモジュレータ型水平偏向回路であって、
水平偏向コイルおよびＳ字補正コンデンサを含む第１の共振回路と、
モジュレーションコイルおよびブリッジコンデンサを含む第２の共振回路と、
ＥＷ歪を補正する信号を出力するＥＷ歪補正信号出力部と、
前記モジュレーションコイルおよび前記ブリッジコンデンサの接続点とＥＷ歪補正信号出力部との間に接続された可変抵抗とを備え、
前記ＥＷ歪を補正する信号は、前記可変抵抗を通過してから前記モジュレーションコイルおよび前記ブリッジコンデンサの接続点に入力されることを特徴とする水平偏向回路。
【請求項２】
ダイオードモジュレータ型水平偏向回路であって、
水平偏向コイルおよびＳ字補正コンデンサを含む第１の共振回路と、
モジュレーションコイルおよびブリッジコンデンサを含む第２の共振回路と、
前記モジュレーションコイルおよび前記ブリッジコンデンサの接続点に、一端が接続され、他端は接地されている可変抵抗とを備えていることを特徴とする水平偏向回路。
【請求項３】
前記可変抵抗は複数であって、お互いに並列接続されていて、
前記各可変抵抗には、前記各可変抵抗が導通しているか否かを制御する可変抵抗用スイッチがそれぞれ接続されていて、
前記可変抵抗用スイッチは、水平偏向周波数に応じて作動する請求項１または請求項２に記載の水平偏向回路。
【請求項４】
前記Ｓ字補正コンデンサは複数あり、お互いに並列接続されていて、
前記各Ｓ字補正コンデンサには、前記各Ｓ字補正コンデンサが導通しているか否かを制御するＳ字補正用スイッチがそれぞれ接続されていて、
前記Ｓ字補正用スイッチは、水平偏向周波数に応じて作動する請求項１ないし請求項３のいずれかに記載の水平偏向回路。
【請求項５】
請求項１ないし請求項４のいずれかに記載の水平偏向回路を備えたテレビ受像機。
【発明の詳細な説明】
【技術分野】
【０００１】
本発明は、陰極線管装置における表示画面サイズが調整可能なダイオードモジュレータ型(以下ＤＭ型)の水平偏向回路およびそれを備えたテレビ受像機に関する。
【背景技術】
【０００２】
テレビ受像機は陰極線管装置と駆動回路とを備えていて、受信した映像信号をもとに、陰極線管装置の画面に画像が表示されるように、駆動回路が陰極線管装置を駆動させている。そのため、これら陰極線管装置と駆動回路とは、互いにマッチングするように設計・製造されている。
【０００３】
しかし、近年ではテレビ受像機の製造および開発コストを削減するために、例えば同一の駆動回路に対して、同サイズではあるが仕様の異なる複数種類の陰極線管装置を組み合わせてテレビ受像機を製造することが行われている。この場合は、駆動回路および陰極線管装置をそれぞれ対応させて設計していないため、設計コストを低下させることができるうえ、複数種類の陰極線管装置に合わせて複数種類の駆動回路を製造する必要がないので、製造コストも低下させることができる。しかし、このように、それぞれ対応させていない、すなわち組み合わせることを想定せずに作製された駆動回路および陰極線管装置を組み合わせてテレビ受像機を作製すると、組み合わせによっては、画面に表示された画像の表示サイズが大きすぎたりあるいは小さすぎたりすることがある。そこで、画面に適した大きさの画像を表示するように、表示画像のサイズを調整する必要がある。
【０００４】
駆動回路は電子ビームの水平方向の偏向を制御する水平偏向回路を備えている。水平偏向回路は、陰極線管装置に取り付けられた偏向ヨークの一部である水平偏向コイルを含んでいる。この水平偏向コイルに流れる電流により、水平偏向コイルに生じる磁力を制御して、電子ビームの水平方向の偏向を制御している。通常、表示画像の水平方向のサイズ（以下、画面サイズという）を調整するには、水平偏向コイルに流れるノコギリ波電流の振幅を変化させる。しかし、変化させ得る電流の範囲では、複数種類の陰極線管装置に対して適した画面サイズの調整が困難である場合や、画面サイズの尤度を充分に保つことができない場合がある。
【０００５】
従来の水平偏向回路の中には、上述の問題を解決する構造のものがある（例えば、特許文献１参照）。特許文献１に開示されている水平偏向回路は、ダイオードモジュレータ（以下、ＤＭ（Ｄｉｏｄｅ  Ｍｏｄｕｌａｔｅｒ）という）型水平偏向回路である。この水平偏向回路を備えている駆動回路と陰極線管装置とを組み合わせた場合は、画面サイズの調整が可能である。
【０００６】
図７は従来のＤＭ型水平偏向回路の構成を示す回路図である。図７に示すように、従来の水平偏向回路１００は水平出力トランジスタ１０１、フライバックトランス１０２、第１共振コンデンサ１０３、第１ダンバーダイオード１０４、水平偏向コイル１０５、水平偏向コイル１０５に直列接続されているＳ字補正コンデンサ１０６、第２共振コンデンサ１０７、第２ダンバーダイオード１０８、振幅変調を行うためのモジュレーションコイル１０９、モジュレーションコイル１０９に直列接続されているブリッジコンデンサ１１０、水平偏向歪を補正する信号である左右糸巻き歪補正用の信号を出力するＥａｓｔ−Ｗｅｓｔ糸巻き補正（以下、ＥＷ歪補正という）出力用トランジスタ１１１、抵抗１１２および抵抗１１２と並列に接続されたスイッチ回路１１３を備えている。
【０００７】
第１共振コンデンサ１０３、水平偏向コイル１０５およびＳ字補正コンデンサ１０６が第１共振回路を形成している。また、第２共振コンデンサ１０７、モジュレーションコイル１０９およびブリッジコンデンサ１１０が第２共振回路を形成している。
【０００８】
抵抗１１２がモジュレーションコイル１０９とブリッジコンデンサ１１０との接続点と、ＥＷ歪補正出力用トランジスタ１１１のコレクタとの間に接続されている。
【０００９】
このような構成の回路において、ＥＷ歪補正出力用トランジスタ１１１のベースからＥＷ歪補正信号が入力され、画面の水平方向の歪みを補正するためのＥＷ補正出力信号がＥＷ歪補正出力用トランジスタ１１１のコレクタから出力される。このＥＷ歪補正出力信号が、モジュレーションコイル１０９とブリッジコンデンサ１１０との接続点に入力される。ＥＷ歪補正出力信号の直流電圧成分を制御することで、画面サイズを調整することができる。
【００１０】
具体的には、スイッチ回路１１３を制御する制御信号により、スイッチ回路１１３を開放または短絡とすることで、モジュレーションコイル１０９とブリッジコンデンサ１１０との接続点は、ＥＷ歪補正出力用トランジスタ１１１のコレクタと、抵抗１１２を介して接続されるか直接接続されるか選択される。このようにして、ＥＷ歪補正出力信号の直流電圧成分を制御して、画面サイズを制御することができる。
【特許文献１】特開平８-２６５５９７号公報
【発明の開示】
【発明が解決しようとする課題】
【００１１】
しかし、上記従来の水平偏向回路はワイド画面表示用のテレビ受像機に関するものであり、画面サイズの選択は抵抗１１２が接続された場合と短絡された場合との２種類のみであった。すなわち、ワイド画面とノーマル画面との２種類の画面サイズのみであった。そのため、画面サイズのフレキシブルな調整、すなわち画面サイズの連続的な調整ができなかった。
【００１２】
本発明は、上記問題点に鑑みなされたものであって、シンプルな構成で、画面サイズのフレキシブルな調整が可能な水平偏向回路およびそれを備えたテレビ受像機を提供することを目的とする。
【課題を解決するための手段】
【００１３】
本発明の第１の水平偏向回路は、ダイオードモジュレータ型水平偏向回路であって、水平偏向コイルおよびＳ字補正コンデンサを含む第１の共振回路と、モジュレーションコイルおよびブリッジコンデンサを含む第２の共振回路と、ＥＷ歪を補正する信号を出力するＥＷ歪補正信号出力部と、前記モジュレーションコイルおよび前記ブリッジコンデンサの接続点とＥＷ歪補正信号出力部との間に接続された可変抵抗とを備え、前記ＥＷ歪を補正する信号は、前記可変抵抗を通過してから前記モジュレーションコイルおよび前記ブリッジコンデンサの接続点に入力されることを特徴とする。
【００１４】
本発明の第２の水平偏向回路は、ダイオードモジュレータ型水平偏向回路であって、水平偏向コイルおよびＳ字補正コンデンサを含む第１の共振回路と、モジュレーションコイルおよびブリッジコンデンサを含む第２の共振回路と、前記モジュレーションコイルおよび前記ブリッジコンデンサの接続点に、一端が接続され、他端は接地されている可変抵抗とを備えていることを特徴とする。
【００１５】
また、本発明のテレビ受像機は、上記本発明の第１または第２の水平偏向回路を備えている。
【発明の効果】
【００１６】
本発明は、シンプルな構成で、画面サイズのフレキシブルな調整が可能な水平偏向回路およびそれを備えたテレビ受像機を提供することができる。
【発明を実施するための最良の形態】
【００１７】
本発明の第１の水平偏向回路は、ＥＷ歪補正信号出力部から出力されたＥＷ歪を補正する信号が、可変抵抗を通過してから、モジュレーションコイルとブリッジコンデンサとの接続点に入力される構成である。そのため、ＥＷ歪を補正する信号の直流電圧成分を所望の値に連続的に変化させることができ、水平偏向電流もまた連続的に変化させることができる。それにより、この水平偏向回路を有する駆動回路は、陰極線管装置と組み合わせた場合に、画面に表示される画像のサイズをフレキシブルに調整することができる。したがって、仕様の異なる陰極線管装置と組み合わせても、その画面に応じた、最適なサイズの画像を表示することができる。なお、ＥＷ歪とは、水平偏向による画像の歪で、Ｅａｓｔ−Ｗｅｓｔ歪の略であり、いわゆる左右糸巻き歪のことである。
【００１８】
また、本発明の第２の水平偏向回路は、モジュレーションコイルおよびブリッジコンデンサの接続点が、可変抵抗を介して接地されている構成であるため、水平偏向電流を連続的に変化させることができる。そのため、この水平偏向回路を有する駆動回路は、陰極線管装置と組み合わせた場合に、画面に表示される画像のサイズをフレキシブルに調整することができる。したがって、仕様の異なる陰極線管装置と組み合わせても、その画面に応じた、最適なサイズの画像を表示することができる。
【００１９】
また、本発明の第１または第２の水平偏向回路において、好ましくは、前記可変抵抗は複数であって、お互いに並列接続されていて、前記各可変抵抗には、前記各可変抵抗が導通しているか否かを制御する可変抵抗用スイッチがそれぞれ接続されていて、前記可変抵抗用スイッチは、水平偏向周波数に応じて作動する。複数の可変抵抗を用いているので、制御する抵抗値の範囲を広くすることができる。それにより、水平偏向電流をさらに広い範囲で変化させることができる。また、水平偏向周波数の変化に応じて可変抵抗を変化させることができるので、水平偏向周波数に応じた、最適な可変抵抗の抵抗値を設定することができる。そのため、この水平偏向回路を有する駆動回路は、陰極線管装置と組み合わせた場合に、画面に表示される画像のサイズをさらに広い範囲で調整することができる。
【００２０】
また、本発明の第１または第２の水平偏向回路において、好ましくは、前記Ｓ字補正コンデンサは複数あり、お互いに並列接続されていて、前記各Ｓ字補正コンデンサには、前記各Ｓ字補正コンデンサが導通しているか否かを制御するＳ字補正用スイッチがそれぞれ接続されていて、前記Ｓ字補正用スイッチは、水平偏向周波数に応じて作動する。それにより、水平偏向周波数の変化に応じてＳ字補正コンデンサの値を変化することができるので、画像の歪が最適に補正され得る。
【００２１】
また、本発明のテレビ受像機は、本発明の第１または第２の水平偏向回路を備えている。そのため、画面に対して最適なサイズの画像を表示することができるにもかかわらず、設計および製造コストが低い。
【００２２】
以下、本発明の実施形態のさらに具体的な例について、図面を用いて説明する。
【００２３】
（実施の形態１）
本発明の実施の形態１に係る水平偏向回路について図を用いて説明する。図１は本発明の実施の形態１に係る水平偏向回路の構成を示す回路図である。
【００２４】
水平偏向回路３０は、テレビジョン受像機（図示せず）の駆動回路（図示せず）に含まれていて、テレビジョン受像機は、駆動回路と陰極線管装置（図示せず）とが組み合わされて構成されている。水平偏向回路３０は、陰極線管装置における電子ビームの水平方向の偏向を制御するものであり、具体的には、水平偏向コイル８に流れる水平偏向電流を制御することで、水平偏向コイル８に生じる磁界を制御して、電子ビームを偏向させる。また、画面における水平振幅は、水平偏向電流の値に応じて変化する。
【００２５】
図１に示すように、実施の形態１の水平偏向回路は、ダイオードモジュレータ（以下、ＤＭ（Ｄｉｏｄｅ  Ｍｏｄｕｌａｔｅｒ）という）型である。図１に示すように、実施の形態１に係るＤＭ型水平偏向回路３０は、主要構成部材である、水平出力トランジスタ１、コンデンサ２、第１の共振コンデンサ３と、第２の共振コンデンサ４と、ダイオード５と、ダイオード６と、電源を供給するためのフライバックトランス７と、陰極線管装置の偏向ヨークに設置され、電子ビームの水平方向の偏向を制御する水平偏向コイル８と、水平リニアリティコイル９と、Ｓ字補正コンデンサ１０と、モジュレーションコイル１１と、ブリッジコンデンサ１２と、ＥＷ歪補正回路２５とを備えている。なお、ＥＷ歪補正回路２５は、モジュレーションコイル１１およびブリッジコンデンサ１２の接続点２７に接続されている。
【００２６】
水平偏向コイル８、第１の共振コンデンサ３、水平リニアリティコイル９およびＳ字補正コンデンサ１０から第１の共振回路が構成され、モジュレーションコイル１１、第２の共振コンデンサ４およびブリッジコンデンサ１２から第２の共振回路が構成されている。ダイオード５および６は、振動現象を抑制する働きがあり、この意味で一般的にこれらはダンバーダイオードと呼ばれる。
【００２７】
ＥＷ歪補正回路２５から第２の共振回路には、モジュレーションコイル１１とブリッジコンデンサ１２との接続点２７を介して、垂直パラボラ電圧が供給される。この垂直パラボラ電圧により、第２の共振コンデンサ４、ダイオード６およびモジュレーションコイル１１とが接続される交点には、垂直パラボラ変調パルス電圧が得られる。垂直パラボラ変調パルス電圧とは、垂直周期のパラボラ電圧で変調されたパルス電圧である。また、水平出力トランジスタ１のベースには水平駆動信号が入力されていて、コレクタからは、一定の水平パルス電圧が出力されている。これら垂直パラボラ変調パルス電圧と水平パルス電圧との差分が水平偏向コイル８に加わりＥＷ歪補正が行われる。
【００２８】
さらに、陰極線管装置の画面に表示される画像の非直線性歪補正のために、水平リニアリティコイル９とＳ字補正コンデンサ１０とが水平偏向コイル８と直列に接続されている。これらは、特に画面がフラットな場合における、画面周辺部の画像のリニアリティを補正するためのものである。なお、水平リニアリティコイル９は、中心のコアが永久磁石によりバイアスされていて、非線形の特性を有している。
【００２９】
ＥＷ歪補正回路２５は、ＥＷ歪補正信号出力部２６と、可変抵抗１４と、コイル１３とが直列に接続されて形成されている。ＥＷ歪補正信号出力部２６は、コンデンサ１５と、抵抗１６と、ダイオード１７と、コンデンサ１８と、ＭＯＳトランジスタ１９とを備えている。
【００３０】
ＭＯＳトランジスタ１９のドレインには、コンデンサ１８に並列接続されたダイオード１７の一端が接続されている。また、ダイオード１７の他端からは電源が供給される。また、ＭＯＳトランジスタ１９のドレインには、直列接続されたコンデンサ１５および抵抗１６が接続され、それらは接地されている。また、ＭＯＳトランジスタ１９のソースは接地され、ＭＯＳトランジスタ１９のゲートからは、ＥＷ補正駆動信号が入力されている。
【００３１】
また、ＭＯＳトランジスタ１９のドレインと、モジュレーションコイル１１とブリッジコンデンサ１２との接続点２７との間には、可変抵抗１４とコイル１３とが直列接続されている。
【００３２】
ＥＷ補正駆動信号は、ＥＷ歪補正信号出力部２６により、ＥＷ歪を補正する信号であるＥＷ歪補正信号に変換されて出力され、可変抵抗１４およびコイル１３を介して、接続点２７に入力される。
【００３３】
次に、ＥＷ歪補正信号出力部２６の動作について説明する。ＰＷＭ（Ｐｕｌｓｅ  Ｗｉｄｔｈ  Ｍｏｄｕｌａｔｉｏｎ（パルス幅変調））信号であるＥＷ補正駆動信号は、ＭＯＳトランジスタ１９のゲートに入力される。それにより、ＥＷ補正駆動信号はパルス幅変調されて、ＭＯＳトランジスタ１９のドレインにはＥＷ歪補正信号が生じる。ＥＷ歪補正信号は、可変抵抗１４、コイル１３およびコンデンサ１２で平滑化され、上記垂直パラボラ電圧として、モジュレーションコイル１１とブリッジコンデンサ１２との接続点２７に入力される。
【００３４】
なお、コンデンサ１５および抵抗１６はダンピング回路を構成している。つまり、パルス動作をするＥＷ歪補正信号の立ち上りまたは立ち下りに発生する高周波成分のリンギングを抑制する。リンギングを抑制しないと、必要以上に電圧値が高くなる場合がある。また、ダイオード１７も同様にリンギングを抑制する。ダイオード１７は、ＭＯＳトランジスタ１９のドレイン電圧を電源電圧にクランプするため、クランプダイオードとも呼ばれる。
【００３５】
なお、上述した、ＥＷ歪補正信号出力部２６の回路構成は、簡単な構成であるため、ＥＷ歪補正信号出力部２６を低コストで実現できる。
【００３６】
この水平偏向回路３０において、可変抵抗１４の抵抗値を変化させることで、ＥＷ歪補正信号出力部２６から出力されたＥＷ歪補正信号（平滑化された垂直パラボラ電圧）の直流電圧成分を変化させることができる。それにより、第２の共振回路の直流電圧量が変化し、水平偏向コイルに流れる水平偏向電流が変化する。したがって、このような水平偏向回路３０が搭載されたテレビ受像機においては、可変抵抗１４の抵抗値を連続的に変化させることで、陰極線管装置の画面に表示される画像の水平方向のサイズ（以下、画面サイズという）を連続的に変化させることができる。例えば、可変抵抗範囲が、０〜１６５Ωである可変抵抗１４を用いることで、サイズが２９インチ型、偏向角度が１０４度である陰極線管装置に対応する水平偏向回路を作製できる。
【００３７】
図２はＥＷ歪補正信号出力部からの出力波形（ＥＷ歪補正信号）を示す図である。図２において、横軸は時間であり、縦軸は電圧である。可変抵抗１４の抵抗値を変化させることで、この出力波形の直流電圧成分（図２参照）が変化する。つまり、波形は変化せず、ＧＮＤからの距離が変化する。可変抵抗１４を変化させることで、ＥＷ歪補正信号の直流電圧成分が変化するので、接続点２７に入力される垂直パラボラ電圧も変化し、水平偏向コイル８に流れる水平偏向電流も変化する。
【００３８】
図３は本発明の実施の形態１に係る水平偏向回路における可変抵抗の抵抗値と水平偏向電流との関係を示す関係図であり、図４は本発明の実施の形態１に係る水平偏向回路の可変抵抗の抵抗値と画面サイズとの関係を示す関係図である。図３および図４において、横軸は共に可変抵抗１４の抵抗値であり、縦軸はそれぞれ水平偏向電流および画面サイズである。なお、図３において、水平偏向電流はピークトゥピークで表わしている。
【００３９】
図３および図４より、可変抵抗１４を変化させることで、水平偏向電流および画面サイズ（画像の水平振幅）はほぼ比例的に変化することがわかる。このとき、水平偏向回路３０の第２の共振回路の直流電圧成分は、ＥＷ歪補正信号の直流電圧成分の増減とは、逆の変化をする。つまり、可変抵抗１４の抵抗値を変化させることで、ＥＷ歪補正信号の直流電圧成分が増加した場合は、第２の共振回路の直流電圧成分は減少し、ＥＷ歪補正信号の直流電圧成分が減少した場合は、第２の共振回路の直流電圧成分は増加する。
【００４０】
図３および図４より、例えば、可変抵抗１４の抵抗値が０Ωの場合、水平偏向電流は、５.９４ＡP-Pであり、画面サイズは１０９.７％である。また、可変抵抗１４の抵抗値が１６５Ω（最大値）の時、水平偏向電流は５.７２ＡP-Pであり、画面サイズは１０１.２％である。このように、可変抵抗１４の抵抗値を変化させることにより画面サイズを８.５％調整することができる。
【００４１】
このように、実施の形態１の水平偏向回路３０は、連続的に水平偏向電流を変化させることができる。そのため、この水偏向回路３０を搭載した駆動回路は、仕様が異なる複数の陰極線管装置と組み合わせても、画面サイズを最適の大きさに調節することが可能である。そのため、駆動回路と陰極線管装置とがマッチングするように、設計する必要がないので、設計にかける時間が少なくてすむ。また、陰極線管装置および駆動回路を製造する際にも、例えば、複数種類の陰極線管を製造しても、１種類の駆動回路を作製すればよいので、製造コストも下がる。
【００４２】
次に、陰極線管装置と水平偏向回路３０を含む駆動回路とを組み立てて、陰極線管装置の画面に画像を再現した結果、画面サイズが大きすぎる場合（表示画面の水平振幅が大きすぎる場合）の調整の方法の一例について説明する。
【００４３】
まず、陰極線管装置の画面に画像を再現し、表示された画像の水平画面サイズが規定の画面サイズに対してどの程度大きいかを求めて、それに応じて可変抵抗１４の抵抗値を変化させる。
【００４４】
画面サイズが規定の画面サイズと比べた場合に例えば３％大きいとすると、画面サイズの大きさを９７％にすればよいことになる。そこで、図４を参照して、画面サイズが９７％となる抵抗値を読取り、可変抵抗１４の抵抗値をその値に調整する。また、図４を参照せずに、目視により画像を確認しながら、可変抵抗１４の抵抗値を調整して、画面サイズを最適の大きさとしてもよい。
【００４５】
次に、画面サイズが小さすぎる場合の調整の方法の一例について説明する。まず、可変抵抗１４の抵抗値を最大となるように設定しておき、この状態を基準として可変抵抗１４の抵抗値を下げていくことで、画面サイズを大きくする調整が可能となる。
【００４６】
画面サイズが規定のサイズより大きいか小さいかは、ＥＷ歪補正信号の直流電圧成分によって決まり、この値は可変抵抗１４の抵抗値により決定される。したがって、例えば、調整時における可変抵抗１４の抵抗値が最小値である場合は抵抗値を大きくする調整(このときは画面サイズを小さくする調整)となり、逆に抵抗値が最大値である場合は抵抗値を小さくする調整(このときは画面サイズを大きくする調整)となる。また、調整時における可変抵抗１４の抵抗値が最小値と最大値の中間の値であるときは、抵抗値を大きくする調整も小さくする調整も両方できる。つまり、画面サイズを大小どちらに調整することも可能である。
【００４７】
実施の形態１では可変抵抗１４の可変抵抗範囲は０〜１６５Ωとしたが、陰極線管装置やＥＷ歪補正信号の直流電圧成分レベルに応じて任意の値のものを使用すればよい。
【００４８】
（実施の形態２）
本発明の実施の形態２に係る水平偏向回路について図５を用いて説明する。図５は本発明の実施の形態２に係る水平偏向回路の構成を示す回路図である。
【００４９】
実施の形態２の水平偏向回路４０は、図１に示す実施の形態１の水平偏向回路３０においては設置されていたＥＷ歪補正回路２５の代わりに可変抵抗１４のみが設置されている構成である。それ以外は実施の形態１の水平偏向回路３０の構成と同一であるので、同一の機能を有する部材には同一の符号を付し、説明を省略する。
【００５０】
図５に示すように、実施の形態２の水平偏向回路４０において、モジュレーションコイル１１およびブリッジコンデンサ１２の接続点２７には可変抵抗１４の一端が接続され、可変抵抗１４の他端は接地されている。このような回路構成とすることで、ＥＷ歪を補正するための信号を用いずに、画面サイズを調整することができる。具体的には、可変抵抗１４の抵抗値を変化させることで、第２の共振回路の直流電圧成分の大きさを直接調整することができ、それにより、水平偏向コイル８に流れる水平偏向電流を調整することができる。したがって、このような水平偏向回路４０が搭載されたテレビ受像機においては、可変抵抗１４の抵抗値を連続的に変化させることで、画面サイズを連続的に変化させることができる。
【００５１】
水平偏向回路４０を含む駆動回路と陰極線管装置とを組み合わせた場合の画面サイズの調整方法は、実施の形態１と同様に行えばよい。すなわち、例えば、陰極線管装置の画面に画像を再現し、画面サイズが規定の画面サイズに対してどの程度大きいかあるいは小さいかを求めて、それに応じて可変抵抗１４の抵抗値を変化させればよい。あるいは、画像を目視しながら可変抵抗１４の抵抗値を調整することで、画面サイズを最適の大きさとしてもよい。
【００５２】
（実施の形態３）
本発明の実施の形態３に係る水平偏向回路について図６を用いて説明する。図６は本発明の実施の形態３に係る水平偏向回路の構成を示す回路図である。
【００５３】
実施の形態３の水平偏向回路５０は、図１に示す実施の形態１の水平偏向回路３０を変形したものである。図１に示す実施の形態１の水平偏向回路３０は、可変抵抗１４およびＳ字補正コンデンサ１０をそれぞれ１つずつ備えているが、図６に示す実施の形態３の水平偏向回路５０は、特性の異なる３つの可変抵抗１４ａ、１４ｂ、１４ｃおよび３つのＳ字補正コンデンサ１０ａ、１０ｂ、１０ｃを備えている。図６に示す実施の形態３の水平偏向回路５０において、図１に示す実施の形態１の水平偏向回路３０と同様の機能を有する部材については同一の符号を付し、説明を省略する。
【００５４】
また、ＥＷ歪補正信号出力部２６から出力されるＥＷ歪補正信号の直流電圧成分を所望の電圧値に制御するための、各可変抵抗１４ａ、１４ｂ、１４ｃは並列接続されていて、接続点２７とＥＷ歪補正信号出力部２６との間に接続されている。なお、接続点２７とはコイル１３を介して接続されている。これらの各可変抵抗１４ａ、１４ｂ、１４ｃには、可変抵抗用スイッチであるＭＯＳトランジスタ２１ａ、２１ｂ、２１ｃがそれぞれ接続されていて、選択的に、これらの各可変抵抗１４ａ、１４ｂ、１４ｃを導通または非導通にできる。具体的には、ＭＯＳトランジスタ２１ａ、２１ｂ、２１ｃのドレインは、各可変抵抗１４ａ、１４ｂ、１４ｃに接続され、ＭＯＳトランジスタ２１ａ、２１ｂ、２１ｃのソースはＥＷ歪補正信号出力部２６に接続されている。また、ＭＯＳトランジスタ２１ａ、２１ｂ、２１ｃのベースには、それぞれ異なる信号「Ｃ_ＳＥＬ１」、「Ｃ_ＳＥＬ２」、「Ｃ_ＳＥＬ３」が入力されている。これらの信号により、ＭＯＳトランジスタ２１ａ、２１ｂ、２１ｃのオン・オフが制御される。
【００５５】
Ｓ字補正コンデンサ１０ａ、１０ｂ、１０ｃも並列接続されていて、リニアリティコイル９とモジュレーションコイル１１との間に接続されている。これらの各Ｓ字補正コンデンサ１０ａ、１０ｂ、１０ｃには、それぞれＳ字補正用スイッチであるＭＯＳトランジスタ２２ａ、２２ｂ、２２ｃが接続されていて、選択的に、これらの各Ｓ字補正コンデンサ１０ａ、１０ｂ、１０ｃを導通または非導通にできる。具体的には、ＭＯＳトランジスタ２２ａ、２２ｂ、２２ｃのドレインは、各Ｓ字補正コンデンサ１０ａ、１０ｂ、１０ｃに接続され、ＭＯＳトランジスタ２２ａ、２２ｂ、２２ｃのソースはモジュレーションコイル１１に接続されている。また、ＭＯＳトランジスタ２２ａ、２２ｂ、２２ｃのベースには、それぞれ異なる信号「Ｃ_ＳＥＬ１」、「Ｃ_ＳＥＬ２」、「Ｃ_ＳＥＬ３」が入力されている。ＭＯＳトランジスタ２１ａ、２１ｂ、２１ｃと同様に、これらの信号により、ＭＯＳトランジスタ２２ａ、２２ｂ、２２ｃのオン・オフが制御される。
【００５６】
ここで、駆動回路と陰極線管装置とを組み合わせた場合に、その画面サイズの大きさは、水平偏向周波数に依存する。また、最適の画面サイズを得るための水平偏向電流の範囲は、水平偏向周波数により異なるので、その水平偏向電流の全ての範囲を実現するためには、ＥＷ補正歪信号の直流電圧成分を制御する可変抵抗が複数である方が好ましい。すなわち異なる抵抗値の範囲を有する複数の可変抵抗を用いることで、より広い範囲で抵抗値を変化させることができる。そこで、実施の形態３の水平偏向回路５０は、３つの可変抵抗１４ａ、１４ｂ、１４ｃを有している。さらに、これら可変抵抗１４ａ、１４ｂ、１４ｃを導通にするか否かを制御するＭＯＳトランジスタ２１ａ、２１ｂ、２１ｃのオン・オフは、水平偏向周波数に合わせて出力される信号「Ｃ_ＳＥＬ１」、「Ｃ_ＳＥＬ２」、「Ｃ_ＳＥＬ３」により制御される。
【００５７】
例えば、信号「Ｃ_ＳＥＬ１」によりＭＯＳトランジスタ２１ａをオンにし、信号「Ｃ_ＳＥＬ２」によりＭＯＳトランジスタ２１ｂをオフにし、信号「Ｃ_ＳＥＬ３」によりＭＯＳトランジスタ２１ｃをオフにする。これにより、可変抵抗１４ａのみが、モジュレーションコイル１１およびブリッジコンデンサ１２の接続点２７とＥＷ歪補正信号出力部２６との間に接続されることになる。同様に、他の可変抵抗１４ｂ、１４ｃについても選択することができる。このようにして、用いる水平偏向周波数に応じて、最適な抵抗値を有する可変抵抗を選択することができる。
【００５８】
また、信号「Ｃ_ＳＥＬ１」、「Ｃ_ＳＥＬ２」、「Ｃ_ＳＥＬ３」により、Ｓ字補正コンデンサ１０ａ、１０ｂ、１０ｃの切換を行うこともできる。複数の水平偏向周波数を有するＴＶセットでは、水平偏向周波数毎にＳ字補正コンデンサ１０、１１、１２の切換を行うことが好ましい。つまり、水平偏向周波数に対応して最適の値を有するＳ字補正コンデンサ１０ａ、１０ｂ、１０ｃが選択されるように、信号「Ｃ_ＳＥＬ１」、「Ｃ_ＳＥＬ２」、「Ｃ_ＳＥＬ３」により、Ｓ字補正コンデンサ１０ａ、１０ｂ、１０ｃのうち最適のものが選択されるようになっている。
【００５９】
このように、水平偏向周波数に対応している信号「Ｃ_ＳＥＬ１」、「Ｃ_ＳＥＬ２」、「Ｃ_ＳＥＬ３」により、可変抵抗１４ａ、１４ｂ、１４ｃおよびＳ字補正コンデンサ１０ａ、１０ｂ、１０ｃの選択を行うので、最適な画面サイズ調整および画像の歪補正がなされる。
【００６０】
実施の形態３に係る水平偏向回路５０は、３つの可変抵抗１４ａ、１４ｂ、１４ｃを有し、水平偏向周波数に応じて最適な可変抵抗を選択するので、水平偏向コイル８を流れる水平偏向電流の大きさを広範囲に変化させ得るうえ、最適な抵抗値の範囲を用いることができる。そのため、この水平偏向回路５０を有する駆動回路と陰極線管装置とを組み合わせた場合に、どのような水平偏向周波数の場合でも、最適の画面サイズを実現できる。また、同様に、水平偏向周波数に応じて最適なＳ字補正コンデンサを選択するので、最適な歪補正がなされる。
【００６１】
なお、実施の形態３の水平偏向回路５０においては、３種類の可変抵抗１４ａ、１４ｂ、１４ｃおよび３種類のＳ字補正コンデンサ１０ａ、１０ｂ、１０ｃを備えているが、この数はどちらも３種類に限定されるわけではない。また、可変抵抗とＳ字補正コンデンサが共に複数である必要はなく、どちらか一方だけが複数で、他方は１つである構成としてもよい。
【００６２】
また、実施の形態３の水平偏向回路５０は、実施の形態１の水平偏向回路３０を変形したが、これと同様に、実施の形態２の水平偏向回路４０を変形してもよい。すなわち、実施の形態２の水平偏向回路４０の可変抵抗１４およびＳ字歪補正コンデンサ１０をそれぞれ複数であることとし、水平偏向周波数に対応する信号によって、最適の可変抵抗１４およびＳ字補正コンデンサ１０が選択されるようにしてもよい。それにより、実施の形態３と同様の効果を得ることができる。
【００６３】
以上、実施の形態１〜３の水平偏向回路について説明したが、これらの水平偏向回路を用いた駆動回路と陰極線管装置とを組み合わせることで、テレビ受像機を製造することができる。このテレビ受像機は、駆動回路と陰極線管装置とをマッチングさせて設計せずとも、最適な画面サイズの調整が可能である。つまり、複数種類の陰極線管装置に対して組み合わせが可能である駆動回路を実現できるので、設計コストおよび製造コストが低くてすむ。
【００６４】
なお、実施の形態１〜３で具体的に示した、回路構成および抵抗値等は、あくまでも一例であり、本発明はこれらの具体例のみに限定されるものではない。
【産業上の利用可能性】
【００６５】
本発明に係る水平偏向回路は、組み合わされる陰極線管装置の表示画面の水平画面振幅を調整することができ、それにより最適の画面サイズを得ることができるので、あらゆる陰極線管装置と組み合わせて、テレビジョン受像機を作製することができる。
【図面の簡単な説明】
【００６６】
【図１】本発明の実施の形態１に係る水平偏向回路の構成を示す回路図
【図２】ＥＷ歪補正信号出力部からの出力波形を示す図
【図３】本発明の実施の形態１に係る水平偏向回路における可変抵抗の抵抗値と水平偏向電流との関係を示す関係図
【図４】本発明の実施の形態１に係る水平偏向回路の可変抵抗の抵抗値と画面サイズとの関係を示す関係図
【図５】本発明の実施の形態２に係る水平偏向回路の構成を示す回路図
【図６】本発明の実施の形態３に係る水平偏向回路の構成を示す回路図
【図７】従来のＤＭ型水平偏向回路の構成を示す回路図
【符号の説明】
【００６７】
１  水平出力トランジスタ
２  コンデンサ
３  第１の共振コンデンサ
４  第２の共振コンデンサ
５、６  ダイオード
７  フライバックトランス
８  水平偏向コイル
９  水平リニアリティコイル
１０、１０ａ、１０ｂ、１０ｃ  Ｓ字補正コンデンサ
１１  モジュレーションコイル
１２  ブリッジコンデンサ
１３  コイル
１４、１４ａ、１４ｂ、１４ｃ  可変抵抗
１５、１８  コンデンサ
１６  抵抗
１７  ダイオード
１９、２１ａ、２１ｂ、２１ｃ、２２ａ、２２ｂ、２２ｃ  ＭＯＳトランジスタ
２５  ＥＷ歪補正回路
２６  ＥＷ歪補正信号出力部
２７  接続点
３０、４０、５０  水平偏向回路
１００  水平偏向回路
１０１  水平出力トランジスタ
１０２  フライバックトランス
１０３  第１共振コンデンサ
１０４  第１ダンバーダイオード
１０５  水平偏向コイル
１０６  Ｓ字補正コンデンサ
１０７  第２共振コンデンサ
１０８  第２ダンバーダイオード
１０９  モジュレーションコイル
１１０  ブリッジコンデンサ
１１１  ＥＷ歪補正出力用トランジスタ
１１２  抵抗
１１３  スイッチ回路
【図１】
2006157656.tif 000003
【図２】
2006157656.tif 000004
【図３】
2006157656.tif 000005
【図４】
2006157656.tif 000006
【図５】
2006157656.tif 000007
【図６】
2006157656.tif 000008
【図７】
2006157656.tif 000009